(57)【要約】【課題】  本願は、取り付け時にナットや座金を取り外す必要がなく、取り付け金具自体を小型化でき、さらに、立設体を有する馳折板以外の屋根にも取り付けることができる屋根上設置物の取り付け金具を提供することを目的とする。【解決手段】  本願の屋根上設置物の取り付け金具は、立設体の先端が貫通孔にまで挿入され、金具本体の底面が屋根面に載置されて立設体挿入部が立設体にかぶせられる。そして、固定用ボルト孔に固定用ボルトがねじ込まれ、立設体が固定用ボルトによって押圧されることで金具本体が固定される。【選択図】図１
2014101624.tif 000002
【特許請求の範囲】
【請求項１】
立設体によって固定された屋根への屋根上設置物の取り付け金具であって、
金具本体と固定用ボルトを有し、
金具本体は、
底面には、
前記立設体が挿入される立設体挿入部が形成されており、
該立設体挿入部には上面へ貫通する貫通孔が連設されており、
少なくとも１つの側面には、
前記固定用ボルトがねじ込まれる固定用ボルト孔が形成されており、
該固定用ボルト孔は、
貫通孔へ貫通されており、
前記立設体の先端が貫通孔にまで挿入され、
金具本体の底面が屋根面に載置されて立設体挿入部が立設体にかぶせられており、
固定用ボルト孔に固定用ボルトがねじ込まれ、
立設体が固定用ボルトによって押圧されることで金具本体が固定される
屋根上設置物の取り付け金具。
【発明の詳細な説明】
【技術分野】
【０００１】
本願は、太陽光発電パネル、断熱材といった屋根上設置物の取り付け金具に関するものである。
【背景技術】
【０００２】
従来技術について、図８及び図９で説明する。図８は折版屋根板材より突設しているボルトを利用するソーラーパネル取着用架台の固定金具に関する技術、図９は馳折板用取り付け装置に関する技術である。
【０００３】
図８は、特許第５０３９８９２号公報にて公開されている技術である。この図８に示した技術では、ソーラーパネル取着用架台の固定金具は、下方固定体２１と上方固定体２２とからなる。また、固定金具の設置に当たっては、既設のナットと座金を外す必要がある。
【０００４】
図９は、米国特許第７，７５８，０１１号にて公開されている馳折板用取り付け装置に関する技術である。図９はそのＦＩＧ．５である。この馳折板用取り付け装置は、取り付け部材７４の溝９０に馳４２を挿入し、締め具１０６によって締め付ける。
【先行技術文献】
【特許文献】
【０００５】
【特許文献１】特許第５０３９８９２号公報
【特許文献２】米国特許第７，７５８，０１１号
【発明の概要】
【発明が解決しようとする課題】
【０００６】
図８に示した固定金具は、設置に当たって折板屋根の立設ボルト（突設しているボルト）に取り付けてあるナットや座金を取り外す必要がある。しかし、折板屋根の立設ボルトは、錆びているケースが大半であり、ナットや座金を取り外すのに手間がかかった。
【０００７】
また、図８に示した固定金具は、金具自体が大型で、構造が複雑であり、材料・加工費などのコストが高くなっていた。
【０００８】
図９に示した馳折板用取り付け装置は、小型で、構造が単純であり、先述した課題を解決する一案と言える。しかし、図９に示した馳折板用取り付け装置は、馳折板専用であって、米国特許第７，７５８，０１１号には、馳以外の立設体を有する屋根へ応用するための示唆がない。たとえば、図９に示した馳折板用取り付け装置の技術を立設ボルト等の立設体を有する折板屋根への取り付けに応用する場合、立設ボルトがナットの上面から突出する長さが様々なので、溝９０の深さをその長さに合わせる必要がある。このように、図９に示した馳折板用取り付け装置の技術を、馳以外の立設体を有する屋根への設置に応用することは難しかった。
【０００９】
そこで、本願は、取り付け時にナットや座金を取り外す必要がなく、取り付け金具自体を小型・単純化でき、さらに、馳折板以外の立設体を有する屋根にも取り付けることができる屋根上設置物の取り付け金具を提供することを目的とする。
【課題を解決するための手段】
【００１０】
本願の屋根上設置物の取り付け金具は、立設体によって固定された屋根への屋根上設置物の取り付け金具である。本願の屋根上設置物の取り付け金具は、金具本体と固定用ボルトを有する。この金具本体の底面には、立設体が挿入される立設体挿入部が形成されており、その立設体挿入部には上面へ貫通する貫通孔が連設されている。この金具の少なくとも１つの側面には、固定用ボルトがねじ込まれる固定用ボルト孔が形成されている。この固定用ボルト孔は、貫通孔へ貫通されている。本願の屋根上設置物の取り付け金具の取り付けに当たっては、立設体の先端が貫通孔にまで挿入され、金具本体の底面が屋根面に載置されて立設体挿入部が立設体にかぶせられる。そして、固定用ボルト孔に固定用ボルトがねじ込まれ、立設体が固定用ボルトによって押圧されることで金具本体が固定される。
【発明の効果】
【００１１】
本願の屋根上設置物の取り付け金具は、立設体の先端を貫通孔にまで挿入し、立設体挿入部を立設体にかぶせ、金具本体の底面を屋根面に載置させて、固定用ボルト孔に固定用ボルトをねじ込むだけで取り付けることができる。このように、取り付けに当たって、たとえば立設ボルトに取り付けてあるナット等を取り外すといった事前作業が不要なので、施工性が非常に高い。
【００１２】
また、本願の屋根上設置物の取り付け金具は、立設体挿入部及び貫通孔、固定ボルト用孔を有するだけの単純な形状である。なお、固定ボルト用孔は、立設体のうち、貫通孔に挿入された部分に当接する位置に形成される。そのため、小型化も大変容易であり、材料費及び加工費を低く抑えることができる。
【００１３】
本願の屋根上設置物の取り付け金具は、底面に、立設体が挿入される立設体挿入部が形成されており、立設体挿入部には上面へ貫通する貫通孔が連設されている。そのため、本願の屋根上設置物の取り付け金具は、立設体の長さを問わず、取り付けられる。それに加えて、取り付け強度を向上させるために、上面側から貫通孔に接着剤を流し込むことができる。さらに、貫通孔に雌ねじを形成しておくことによって、上面に別部材を取り付けるためのボルト孔として使用することもできる。
【図面の簡単な説明】
【００１４】
【図１】本願の屋根上設置物の取り付け金具の実施例を示す説明図（斜視図）である。
【図２】本願の屋根上設置物の取り付け金具の実施例を示す説明図（斜視図）である。
【図３】本願の屋根上設置物の取り付け金具の実施例を示す説明図（底面図）である。
【図４】本願の屋根上設置物の取り付け金具の実施例を示す説明図（底面図）である。
【図５】本願の屋根上設置物の取り付け金具の取り付け例を示す説明図である。
【図６】本願の屋根上設置物の取り付け金具の取り付け例を示す説明図である。
【図７】本願の屋根上設置物の取り付け金具の取り付け例を示す説明図（図５のＡ−Ａ線断面図）である。
【図８】従来技術の説明図である。
【図９】従来技術の説明図である。
【実施例】
【００１５】
本願の屋根上設置物の取り付け金具について、図１から図７までにより説明する。
【００１６】
図１及び図２は、本願の屋根上設置物の取り付け金具の一例（斜視図）である。図３及び図４は、本願の屋根上設置物の取り付け金具における立設体挿入部の一例（底面図）である。図５及び図６は、屋根上設置物の取り付け金具を取り付ける一例である。図７は、図５のＡ−Ａ線断面図であり、本願の屋根上設置物の取り付け金具を取り付ける一例である。
【００１７】
本願の屋根上設置物の取り付け金具は、立設体Ａによって固定された屋根Ｂに用いる。なお、本願における立設体Ａとは、屋根用固定部材である立設ボルト、ナット、座金、パッキン、袋ナット等、又はそれらを組み合わせたものである。本実施例においては、立設体Ａは、立設ボルトＡ１及びそれに取り付けられているナットＡ２・座金Ａ３を指す。
【００１８】
本願において、屋根上設置物とは、太陽光発電パネル、断熱材などをはじめ、それらを取り付けるための別部材も含む。なお、取り付けるための別部材とは、たとえば、レール部材、受け部材などを指す。
【００１９】
本願の屋根上設置物の取り付け金具は、金具本体１と固定用ボルト２を有する。本実施例において金具本体１は、押出成形したものに、穿孔されることで形成されている。ただし、金具本体１の成形・加工方法等については、これに限定するものではない。
【００２０】
金具本体１の底面１１には、立設体Ａが挿入される立設体挿入部１１１が形成されている。さらに、立設体挿入部１１１は上面１４へ貫通する貫通孔１２を連設している。本実施例では、取り付けに当たって、立設ボルトＡ１及びナットＡ２・座金Ａ３の立設体Ａ全体が立設体挿入部１１１に挿入され、立設ボルトＡ１がナットＡ２の上面から突出している部分が貫通孔１２に挿入される。そのため、金具本体１が立設体Ａにかぶせられたときに、立設体Ａ全体を立設体挿入部１１１及び貫通孔１２に収納し、金具本体１の底面１１が屋根面に載置された、安定した状態になる。
【００２１】
立設体挿入部１１１は、立設体Ａが挿入できればよく、図３のように切り欠いた溝として形成してもよいし、図４のようにくり抜いた孔として形成してもよい。
【００２２】
立設体挿入部１１１は、上面１４へ貫通する貫通孔１２を連設している。貫通孔１２は、立設体Ａの先端、本実施例においては、立設ボルトＡ１がナットＡ２の上面から突出した部分が挿入される。さらに、貫通孔１２は、上面１４側からボルト等をねじ込めるように、雌ねじを形成してもよい。そうすることで、ボルトを用いて、別部材を金具本体１の上面１４側に容易に取り付けることができる。
【００２３】
金具本体１の少なくとも１つの側面１３には、固定用ボルト２がねじ込まれる固定用ボルト孔１３１が形成されている。固定用ボルト孔１３１には雌ねじが形成されている。さらに、固定用ボルト孔１３１は、貫通孔１２へ貫通しており、固定用ボルト２がねじ込まれたときに、貫通孔１２に挿入された立設体Ａに当接するようになっている。
【００２４】
固定用ボルト孔１３１は、本実施例においては、対向する２つの側面１３・１３に形成されている。ただし、固定用ボルト孔１３１は、少なくとも１つの側面１３に形成されていればよく、軒側方向、棟側方向、桁行方向のいずれの方向に向く側面１３に開口するように形成されていてもよい。さらに、軒側方向と桁行方向、桁行双方向、軒側方向と棟側方向というように２方向以上の側面１３に任意の組合せで形成されていてもよい。また、１つの屋根上設置物の取り付け金具を図５のように固定用ボルト孔１３１の形成された側面１３を軒棟方向に向けて取り付けたり、図６のように桁行方向に向けて取り付けたりすることもできるようにしてもよい。
【００２５】
固定用ボルト孔１３１の開口の向きは、固定用ボルト２のねじ込みやすさ、組み合わせる別部材などを考慮して決定することができる。したがって、施工性、及び多様な機能を付加する拡張性が高い屋根上設置物の取り付け金具であると言える。
【００２６】
別部材を組み合わせる場合、固定用ボルト２として頭部なしボルト（いもねじ）を利用することもできる。そうすることによって、固定用ボルト２の頭部が別部材を組み合わせるときに邪魔になることがない。このように、屋根上設置物の取り付けに当たって、固定用ボルト２が制限になりにくい構造とすることも可能である。
【００２７】
さらに、先述したように、貫通孔１２に上面１４側からボルト等をねじ込めるように、雌ねじを形成してもよい。そうすることによって、貫通孔１２に対して、上面１４側からボルトをねじ込むことができるので、容易に別部材を取り付けることもできる。
【００２８】
次に、本願の屋根上設置物の取り付け金具の取り付けについて説明する。
【００２９】
まず、立設体Ａに金具本体１をかぶせる。このとき、従来技術のように、立設ボルトＡ１に取り付けてあるナットＡ２等を外す必要はない。立設体挿入部１１１が立設体Ａにかぶせられ、立設体Ａの先端を貫通孔１２に挿入させ、金具本体１の底面１１を屋根面に載置させる。本実施例の場合、このように金具本体１の底面１１を屋根面に載置させるように取り付けると、貫通孔１２で立設ボルトＡ１を覆い、貫通孔１２及び立設体挿入部１１１で立設体Ａ全体を覆った状態になる。このとき、貫通孔１２に立設ボルトＡ１が挿入されているので、金具本体１が軒棟方向及び桁行方向へ動くのが規制されている状態となる。
【００３０】
次に、固定用ボルト孔１３１に固定用ボルト２がねじ込まれる。本実施例では、先述したように、貫通孔１２に立設ボルトＡ１が挿入されているので、軒棟方向及び桁行方向へ動くのが規制されている。この状態で、立設ボルトＡ１が固定用ボルト２によって押圧されることによって、上面１４側に金具本体１が抜けないように強く固定される。
【００３１】
さらに、屋根Ｂ上への固定強度を高めるために、上面１４側から貫通孔１２に接着剤等を流し込むこともできる。そうすることで、固定用ボルト２による押圧力に加えて、接着剤の粘着力によって固定強度をより向上させることもできる。
【符号の説明】
【００３２】
１      金具本体
１１    底面
１１１  立設体挿入部
１２    貫通孔
１３    側面
１３１  固定用ボルト孔
１４    上面
２      固定用ボルト
Ａ      立設体
Ａ１    立設ボルト
Ａ２    ナット
Ａ３    座金
Ｂ      屋根
【図１】
2014101624.tif 000003
【図２】
2014101624.tif 000004
【図３】
2014101624.tif 000005
【図４】
2014101624.tif 000006
【図５】
2014101624.tif 000007
【図６】
2014101624.tif 000008
【図７】
2014101624.tif 000009
【図８】
2014101624.tif 000010
【図９】
2014101624.tif 000011